【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
スリーブと、インサート部材と、を有し、
前記インサート部材は、移動可能で、少なくとも部分的に引き出し可能に前記スリーブ内に受け入れられるように構成されており、
前記インサート部材は、少なくとも１つの製品を受け入れて、保持するように構成されており、
前記インサート部材は、前記製品の受け入れ後に前記スリーブ内に再度挿入されるように構成されており、
前記スリーブは、前記製品へのアクセスが制限されたり妨げられるように、再度挿入された前記インサート部材を囲むように構成されており、
前記インサート部材は、前記インサート部材が一旦前記スリーブに再度挿入されると、前記インサート部材の再度引き出しが制限されたり妨げられるように調整されるように構成されている、パッケージ。
【請求項２】
前記インサート部材は、前記製品の受け入れ前に、前記インサート部材の一部を折り曲げるか分離することによって調整される、請求項１に記載のパッケージ。
【請求項３】
前記インサート部材の前記調整された部分は、１つ以上のミシン目に沿って裂くことによって前記インサート部材から分離されるように構成されている、請求項２に記載のパッケージ。
【請求項４】
前記インサート部材には、前記インサート部材が前記スリーブ内に受け入れられたときに、ユーザがアクセス可能なグリップ部分が備わっており、前記インサート部材は、前記インサート部材が前記製品を受け入れることができるようになる前に、前記グリップ部分を前記インサート部材から分離するか、または前記グリップ部分を操作不能にする必要があるように、調整されるように構成されている、請求項１から３のいずれか１項に記載のパッケージ。
【請求項５】
前記パッケージは、前記インサート部材が前記スリーブから引き出されるかまたは再度引き出されることを防止する少なくとも１つのロック機構を有する、請求項１から４のいずれか１項に記載のパッケージ。
【請求項６】
ロック機構は、前記スリーブに対する前記インサート部材の動きを制御するように構成されている解除可能なロック機構である、請求項５に記載のパッケージ。
【請求項７】
前記ロック機構は、一旦前記インサート部材が調整され、前記インサート部材が前記スリーブ内に再度挿入されると、解除不能となるように構成されている、請求項５に記載のパッケージ。
【請求項８】
前記パッケージは、一旦前記インサート部材が調整され、前記インサート部材が前記スリーブ内に再度挿入されると、解除不能になるように構成されている第２のロック機構を有する、請求項６に記載のパッケージ。
【請求項９】
前記ロック機構は第２のロック部材に接続されるように構成されている第１のロック部材によって前記インサート部材が再度引き出されることを防止し、第２のロック部材は前記インサート部材が調整された後に現れるまたは形成される、請求項５、７または８のいずれか１項に記載のパッケージ。
【請求項１０】
請求項１から９のいずれか１項に記載のパッケージで使用されるように構成されているインサート部材であって、
前記インサート部材は、移動可能で、少なくとも部分的に引き出し可能にスリーブ内に受け入れられるように構成されており
前記インサート部材は、少なくとも１つの製品を受け入れて、保持するように構成されており、
前記インサート部材は、前記製品を受け入れた後に前記スリーブ内に再度挿入されるように構成されており、
前記スリーブは、前記製品へのアクセスが制限されたり妨げられるように、再度挿入された前記インサート部材を囲むように構成されており、
前記インサート部材は、一旦前記インサート部材が前記スリーブに再度挿入されると、前記インサート部材の再度引き出しが制限されたり妨げられるように調整されるように構成されている、インサート部材。
【請求項１１】
スリーブと、インサート部材とを有し、
前記インサート部材は、移動可能で、少なくとも部分的に引き出し可能に前記スリーブ内に受け入れられるように構成されており、
前記インサート部材は、使用後に少なくとも一部が残る製品を保持するように構成されており、
前記製品は、前記インサート部材が前記スリーブから少なくとも部分的に引き出された後に初めてアクセス可能であって、そして、前記インサート部材は、好ましくは前記インサート部材の少なくとも一部を折り曲げたり分離することによって、調整されており、
前記インサート部材は、前記製品の使用後に前記製品の一部を受け入れて保持するように構成されており、
前記インサート部材は、前記製品の前記一部を受け入れた後に前記スリーブ内に再度挿入されるように構成されており、
前記スリーブは、前記製品の前記一部へのアクセスが制限されたり妨げられるように、再度挿入された前記インサート部材を囲むように構成されており、
一旦前記インサート部材が前記スリーブ内に再度挿入されると、前記インサート部材の再度引き出しが制限されたり妨げられる、パッケージ。
【請求項１２】
前記インサート部材の前記調整された部分は、１つ以上のミシン目に沿って裂くことによって前記インサート部材から分離されるように構成されている、請求項１１に記載のパッケージ。
【請求項１３】
前記インサート部材には、前記インサート部材が前記スリーブ内に受け入れられたときに、ユーザにアクセス可能なグリップ部分が備わっており、
前記インサート部材は、前記製品を前記インサート部材から取り外すことができるようになる前に、前記グリップ部分を前記インサート部材から分離するか、または操作不能にする必要があるように、前記製品を保持するように構成されている、請求項１１または１２に記載のパッケージ。
【請求項１４】
前記パッケージは、前記インサート部材が前記スリーブから引き出されるかまたは再度引き出されることを防止する少なくとも１つのロック機構を有している、請求項１１から１３のいずれかに記載のパッケージ。
【請求項１５】
ロック機構は、前記スリーブに対する前記インサート部材の動きを制御するように構成されている解除可能なロック機構である、請求項１４に記載のパッケージ。
【請求項１６】
前記ロック機構は、一旦前記インサート部材が調整され、前記インサート部材が前記スリーブ内に再度挿入されると作動する、請求項１４に記載のパッケージ。
【請求項１７】
前記パッケージは、一旦前記インサート部材が調整され、前記インサート部材が前記スリーブ内に再度挿入されると、解除不能になるように構成されている第２のロック機構を有する、請求項１５に記載のパッケージ。
【請求項１８】
前記ロック機構は第２のロック部材に接続されるように構成されている第１のロック部材によって前記インサート部材が再度引き出されることを防止し、第２のロック部材は前記インサート部材が調整された後に現れるまたは形成される、請求項１４、１６または１７のいずれか１項に記載のパッケージ。
【請求項１９】
請求項１１から１８のいずれか１項に記載のパッケージで使用されるように構成されているインサート部材であって、
前記インサート部材は、移動可能で、少なくとも部分的に引き出し可能にスリーブ内に受け入れられるように構成されており、
前記インサート部材は、使用後に少なくとも一部が残る製品を保持するように構成されており、
前記製品は前記インサート部材が前記スリーブから少なくとも部分的に引き出された後に初めてアクセス可能であって、そして、前記インサート部材は、好ましくは前記インサート部材の少なくとも一部を折り曲げたり分離することによって、調整されており、
前記インサート部材は、前記製品の使用後に前記製品の前記一部を受け入れて保持するように構成されており、
前記インサート部材は、前記製品の一部を受け入れた後に前記スリーブ内に再度挿入されるように構成されており、
前記スリーブは、前記製品の一部へのアクセスが制限されたり妨げられるように、再度挿入された前記インサート部材を囲むように構成されており、
前記インサート部材は、一旦前記インサート部材が前記スリーブに再度挿入されると、前記インサート部材の再度引き出しが制限されたり妨げられるように調整されるように構成されている、インサート部材。